(57)【要約】【課題】パラメータ設定時におけるユーザビリティの向上を図る。【解決手段】警告判定部６は、パラメータの設定変更時におけるアイ振幅および各タップ値の上下限値を固定し、エンファシス波形の発生に必要なパラメータが入力設定されたときにエンファシス波形の合成出力波形がピーク値を超えるか、或いは各タップの何れかの振幅値が上下限値を超えるかによって警告の有無を判定する。エンファシス出力制御部５は、警告無しと判定したときに試験用信号付与後の合成出力波形を出力し、警告有りと判定したときに試験用信号付与後の合成出力波形の出力をオフする。【選択図】図１
2019009561.tif 000002
【特許請求の範囲】
【請求項１】
試験対象物に入力する試験用信号に付加されるエンファシス波形を発生するエンファシス発生器（１）において、
前記エンファシス波形の発生に必要なパラメータの設定変更時におけるアイ振幅および各タップ値の上下限値を固定し、前記エンファシス波形の発生に必要なパラメータを入力設定したときに前記試験用信号付加後の合成出力波形がピーク値を超えるか、或いは前記各タップの何れかの振幅値が上下限値を超えるかによって警告の有無を判定する警告判定部（６）を備えたことを特徴とするエンファシス発生器。
【請求項２】
前記警告判定部（６）が警告無しと判定したときに、前記試験用信号付加後の合成出力波形を出力し、前記警告判定部が警告有りと判定したときに、前記試験用信号付加後の合成出力波形の出力をオフするエンファシス出力制御部（５）を備えたことを特徴とする請求項１記載のエンファシス発生器。
【請求項３】
前記警告判定部（６）が警告有りと判定したときに、その旨を報知する報知部（８）を備えたことを特徴とする請求項１又は２記載のエンファシス発生器。
【請求項４】
前記警告判定部（６）が警告有りと判定したときに、設定された最後のアイ振幅と各タップ毎の振幅値又は各カーソルのｄＢ値を保持することを特徴とする請求項１記載のエンファシス発生器。
【請求項５】
試験対象物に入力する試験用信号に付加されるエンファシス波形を発生するエンファシス発生方法において、
前記エンファシス波形の発生に必要なパラメータの設定変更時におけるアイ振幅および各タップ値の上下限値を固定し、前記エンファシス波形の発生に必要なパラメータを入力設定したときに前記試験用信号付与後の合成出力波形がピーク値を超えるか、或いは前記各タップの何れかの振幅値が上下限値を超えるかによって警告の有無を判定するステップを含むことを特徴とするエンファシス発生方法。
【請求項６】
警告無しと判定したときに、前記試験用信号付与後の合成出力波形を出力するステップと、
警告有りと判定したときに、前記試験用信号付与後の合成出力波形の出力をオフするステップとを含むことを特徴とする請求項５記載のエンファシス発生方法。
【請求項７】
警告有りと判定したときに、その旨を報知するステップを含むことを特徴とする請求項５又は６記載のエンファシス発生方法。
【請求項８】
警告有りと判定したときに、設定された最後のアイ振幅と各タップ毎の振幅値又は各カーソルのｄＢ値を保持するステップを含むことを特徴とする請求項５記載のエンファシス発生方法。
【発明の詳細な説明】
【技術分野】
【０００１】
本発明は、試験対象物（ＤＵＴ：device under test ）の各種試験を行うための試験用信号に付加されるエンファシス波形を発生するエンファシス発生器およびエンファシス発生方法に関する。
【背景技術】
【０００２】
従来、送信側で送信する信号の特定の周波数成分を強調することにより、伝送路で減衰しやすい周波数を補償して伝送路で起こる信号の減衰を最小限に抑え、受信側で受信する信号の品質を改善する伝送技術としてエンファシスが知られている。
【０００３】
このエンファシスの伝送技術を利用したエンファシス発生器としては、例えば下記特許文献１に開示されるエンファシス付加装置が知られている。特許文献１のエンファシス付加装置は、横軸を時間、縦軸を変調量としてエンファシス波形イメージを設定画面上に表示させ、このエンファシス波形イメージにおいてビットを強調させることが可能な箇所のタップにカーソルを配置し、カーソルの移動に応じて可変される振幅量に基づいて設定画面上のエンファシス波形イメージと同一のエンファシス波形を生成して元信号（試験用信号）に付加している。
【０００４】
そして、上述した特許文献１を含む従来のエンファシス発生器では、設定画面において、アイ振幅の振幅電圧値を設定するための入力ボックスと、アイ振幅に対するカーソルの振幅量を設定するための入力ボックスとを表示し、入力ボックスにアイ振幅の振幅電圧値を数値入力するとともに、入力ボックスにカーソルの振幅量であるｄＢ値を数値入力して設定するのが一般的であった。また、各カーソルのｄＢ値に代えて、各タップ毎のアイ振幅に対する比の値を入力ボックスに数値入力して設定するエンファシス発生器として下記特許文献２が知られている。
【先行技術文献】
【特許文献】
【０００５】
【特許文献１】特開２０１２−０６０６３０号公報
【特許文献２】特開２０１６−１３４７１４号公報
【発明の概要】
【発明が解決しようとする課題】
【０００６】
ところで、上述した特許文献１や特許文献２を含む従来のエンファシス発生器では、アイ振幅、各カーソルのｄＢ値又は各タップ毎のアイ振幅に対する比の値をパラメータとして設定する場合、ハード性能による各タップ値（各カーソルのｄＢ値、又はタップ毎のアイ振幅に対する比の値）の制約が多く、設定変更の度に全てのパラメータ制約が変更され、他のタップ値の上下限値が連動して可変するようになっている。このため、設定変更の度に各タップ値に値の引っ張り合いによるタップ値同士の影響が生じ、アイ振幅を変更した後に再度調整が必要など煩雑な操作が発生する。
【０００７】
さらに説明すると、従来のエンファシス発生器では、パラメータ設定において、それぞれのタップ毎の振幅の上下限値が各タップ値の影響を受けて決まる。このため、あるタップを設定すると、試験用信号付加後の合成出力波形のピーク値或いは各タップの振幅の上下限値に依存して他の各タップの振幅の上下限値が変動してしまう。その結果、希望の値に変更するのにユーザが各タップ値同士の影響を考慮しながら、多数回の調整をする煩雑な操作が必要不可欠であった。また、より細かな調整を行うためにタップ数が増えると、それに伴って操作の煩雑性も増し、パラメータ設定時のユーザの負担が増えるため、操作性の改善が求められていた。
【０００８】
そこで、本発明は上記問題点に鑑みてなされたものであって、パラメータ設定時のユーザビリティの向上を図ることができるエンファシス発生器およびエンファシス発生方法を提供することを目的としている。
【課題を解決するための手段】
【０００９】
上記目的を達成するため、本発明の請求項１に記載されたエンファシス発生器は、試験対象物に入力する試験用信号に付加されるエンファシス波形を発生するエンファシス発生器１において、
前記エンファシス波形の発生に必要なパラメータの設定変更時におけるアイ振幅および各タップ値の上下限値を固定し、前記エンファシス波形の発生に必要なパラメータを入力設定したときに前記試験用信号付加後の合成出力波形がピーク値を超えるか、或いは前記各タップの何れかの振幅値が上下限値を超えるかによって警告の有無を判定する警告判定部６を備えたことを特徴とする。
【００１０】
請求項２に記載されたエンファシス発生器は、請求項１のエンファシス発生器において、
前記警告判定部６が警告無しと判定したときに、前記試験用信号付加後の合成出力波形を出力し、前記警告判定部が警告有りと判定したときに、前記試験用信号付加後の合成出力波形の出力をオフするエンファシス出力制御部５を備えたことを特徴とする。
【００１１】
請求項３に記載されたエンファシス発生器は、請求項１又は２のエンファシス発生器において、
前記警告判定部６が警告有りと判定したときに、その旨を報知する報知部８を備えたことを特徴とする。
【００１２】
請求項４に記載されたエンファシス発生器は、請求項１のエンファシス発生器において、
前記警告判定部６が警告有りと判定したときに、設定された最後のアイ振幅と各タップ毎の振幅値又は各カーソルのｄＢ値を保持することを特徴とする。
【００１３】
請求項５に記載されたエンファシス発生方法は、試験対象物に入力する試験用信号に付加されるエンファシス波形を発生するエンファシス発生方法において、
前記エンファシス波形の発生に必要なパラメータの設定変更時におけるアイ振幅および各タップ値の上下限値を固定し、前記エンファシス波形の発生に必要なパラメータを入力設定したときに前記試験用信号付与後の合成出力波形がピーク値を超えるか、或いは前記各タップの何れかの振幅値が上下限値を超えるかによって警告の有無を判定するステップを含むことを特徴とする。
【００１４】
請求項６に記載されたエンファシス発生方法は、請求項５のエンファシス発生方法において、
警告無しと判定したときに、前記試験用信号付与後の合成出力波形を出力するステップと、
警告有りと判定したときに、前記試験用信号付与後の合成出力波形の出力をオフするステップとを含むことを特徴とする。
【００１５】
請求項７に記載されたエンファシス発生方法は、請求項５又は６のエンファシス発生方法において、
警告有りと判定したときに、その旨を報知するステップを含むことを特徴とする。
【００１６】
請求項８に記載されたエンファシス発生方法は、請求項５のエンファシス発生方法において、
警告有りと判定したときに、設定された最後のアイ振幅と各タップ毎の振幅値又は各カーソルのｄＢ値を保持するステップを含むことを特徴とする。
【発明の効果】
【００１７】
本発明によれば、試験用信号付加後の合成出力波形のピーク値或いは各タップの振幅の上下限値に依存せず、ユーザが希望の値を直接設定することが可能となり、ユーザビリティの向上を図ることができる。
【００１８】
また、試験用信号付加後の合成出力波形がピーク値を超えるか、或いは各タップの何れかの振幅値が上下限値を超えた場合には、その旨を報知して信号発生能力の上限をユーザに認知させることが可能となる。
【００１９】
さらに、試験用信号付加後の合成出力波形がピーク値を超えるか、或いは各タップの何れかの振幅値が上下限値を超えた場合、合成出力波形の出力をオフすれば、出力先の回路に対して悪影響を与えるのを防ぐことができる。
【００２０】
また、試験用信号付与後の合成出力波形がピーク値を超えるか、或いは各タップの何れかの振幅値が上下限値を超えた場合、設定された最後の値を保持する構成とすれば、信号発生能力の上限での試験を続行することが可能となる。
【図面の簡単な説明】
【００２１】
【図１】本発明に係るエンファシス発生器の概略構成を示すブロック図である。
【図２】本発明に係るエンファシス発生器のエンファシス設定画面の一部の表示例を示す図である。
【図３】本発明に係るエンファシス発生器の正常時におけるエンファシス設定画面の一部の表示例を示す図である。
【図４】本発明に係るエンファシス発生器の警告時におけるエンファシス設定画面の一部の他の表示例を示す図である。
【図５】本発明に係るエンファシス発生器のエンファシス設定画面の一部の他の表示例を示す図である。
【図６】本発明に係るエンファシス発生器を用いてエンファシス波形を発生する場合の概略手順を示すフローチャートである。
【発明を実施するための形態】
【００２２】
以下、本発明を実施するための形態について、添付した図面を参照しながら詳細に説明する。
【００２３】
図１に示すように、本実施の形態のエンファシス発生器１は、操作表示部２、情報記憶部３、エンファシス波形生成部４、エンファシス出力制御部５、警告判定部６、表示制御部７、報知部８を備えて構成される。エンファシス発生器１は、試験対象物（ＤＵＴ）の各種試験を行うための試験用信号に付加されるエンファシス波形を発生するものであり、パルスパターン発生装置に内蔵される。
【００２４】
なお、試験用信号とは、試験対象物に入力する既知パターンのテスト信号であり、例えばＰＲＢＳ（Pseudo-random bit sequence：擬似ランダム・ビット・シーケンス）パターン、任意のプログラマブルパターンからなる。
【００２５】
操作表示部２は、例えばユーザが操作するソフトキー、カーソルキー、液晶表示器などを含むものであり、例えばコンピュータグラフィックスとマウスなどのポインティングデバイスを用いた直感的な操作により各種の操作・設定・表示が行える機能を有するＧＵＩ（Graphical User Interface）で構成される。
【００２６】
操作表示部２は、例えばＢＥＲ試験やジッタトレランス試験などの各種試験を行う場合、試験用信号にエンファシス波形を付加して出力するために必要な各種情報の入力操作や各種設定をソフトキーやカーソルキー等の操作により行う。
【００２７】
操作表示部２は、例えばソフトキーやカーソルキー等の操作に基づき、例えば図２〜図５に示すような設定画面や測定画面などを表示する。また、操作表示部２は、後述する警告判定部６から警告信号が表示制御部７に入力されたときに、表示制御部７の制御によって警告を表示する報知部８としての機能も兼ね備える。
【００２８】
なお、図１の例では、各種情報を操作入力する操作部と、設定画面や測定画面などを表示する表示部の両方の機能を操作表示部２が兼ね備えた構成として図示しているが、操作表示部２を操作部と表示部にそれぞれ独立させた構成としてもよい。
【００２９】
ここで、図２〜図５は操作表示部２の入力操作に基づいてパラメータの設定時に表示されるエンファシス設定画面１１の一部を抜粋した各表示例を示している。
【００３０】
なお、図２〜図４のエンファシス波形イメージ１４において、振幅量の増減によりビットを強調させることができる箇所をタップと称し、この各箇所のタップにカーソルが配置される。
【００３１】
図２〜図４のエンファシス設定画面１１には、エンファシス波形の発生に必要な各種情報を入力設定するための入力ボックス１２が表示される。図２〜図４の入力ボックス１２は、「Ｏｕｔｐｕｔ」における「Ｅｍｐｈａｓｉｓ  Ｆｕｎｃｔｉｏｎ」の入力ボックス１２ａと、「Ａｍｐｌｉｔｕｄｅ」の入力ボックス１２ｂと、パラメータの入力ボックス１２ｃとからなる。
【００３２】
「Ｅｍｐｈａｓｉｓ  Ｆｕｎｃｔｉｏｎ」の入力ボックス１２ａは、エンファシスを有効又は無効に設定するための「ＯＮ」又は「ＯＦＦ」を選択する入力ボックスと、パラメータの設定形式（例えば「Ｃｏｅｆｆｉｃｉｅｎｔ、Ｐｒｅ−Ｅｍｐｈａｓｉｓ、Ｄｅ−Ｅｍｐｈａｓｉｓの何れか）を選択する入力ボックスとからなる。図２のエンファシス設定画面１１では、エンファシス「ＯＦＦ」が選択された状態を示している。また、図３および図４のエンファシス設定画面１１では、エンファシス「ＯＮ」が選択された状態を示している。さらに、図２〜図４のエンファシス設定画面１１では、パラメータの設定形式として「Ｃｏｅｆｆｉｃｉｅｎｔ」が選択された状態を示している。
【００３３】
「Ａｍｐｌｉｔｕｄｅ」の入力ボックス１２ｂには、試験用信号に付加されるエンファシス波形イメージ上の基準となるアイ振幅が入力される。図２〜図４のエンファシス設定画面１１では、「０．９１０」Ｖｐｐが「Ａｍｐｌｉｔｕｄｅ」の入力ボックス１２ｂに入力された状態を示している。
【００３４】
パラメータの入力ボックス１２ｃには、「Ｅｍｐｈａｓｉｓ  Ｆｕｎｃｔｉｏｎ」の入力ボックス１２ａに入力されたパラメータの設定形式でパラメータが入力される。「Ｅｍｐｈａｓｉｓ  Ｆｕｎｃｔｉｏｎ」の入力ボックス１２ａで選択されるパラメータの設定形式が「Ｃｏｅｆｆｉｃｉｅｎｔ」の場合には、図２〜図４のパラメータ設定画面１１に示すように、各タップ毎のアイ振幅に対する比：Ｃ−３，Ｃ−２，Ｃ−１，Ｃ０，Ｃ１，Ｃ２，Ｃ３，Ｃ４，Ｃ５，Ｃ６をタップ値として入力するための１０個の入力ボックスが表示される。そして、Ｃ−３〜Ｃ６それぞれの入力ボックスには、予め決められた範囲内を所定ステップで自由に数値入力して設定することができる。具体的には、例えば−１〜＋１の範囲を０．０００１ステップで自由に数値入力することができる。
【００３５】
また、「Ｅｍｐｈａｓｉｓ  Ｆｕｎｃｔｉｏｎ」の入力ボックス１２ａで選択されるパラメータの設定形式が「Ｐｒｅ−Ｅｍｐｈａｓｉｓ」又は「Ｄｅ−Ｅｍｐｈａｓｉｓ」の場合には、図５に示すように、エンファシス波形イメージ上の各カーソル毎のｄＢ値：Ｐｒｅ  Ｃｕｒｓｏｒ１〜３、Ｐｏｓｔ  Ｃｕｒｓｏｒ１〜６をタップ値として入力するための９個の入力ボックスが表示される。そして、Ｐｒｅ  Ｃｕｒｓｏｒ１〜３、Ｐｏｓｔ  Ｃｕｒｓｏｒ１〜６の入力ボックスには、予め決められた範囲内を所定ステップで自由に数値入力して設定することができる。
【００３６】
具体的には、パラメータの設定形式が「Ｐｒｅ−Ｅｍｐｈａｓｉｓ」の場合、Ｐｒｅ  Ｃｕｒｓｏｒ１〜３、Ｐｏｓｔ  Ｃｕｒｓｏｒ１〜６のそれぞれの入力ボックスには−２０〜＋２０ｄＢの範囲を０．１ｄＢステップで自由に数値入力することができる。また、パラメータの設定形式が「Ｄｅ−Ｅｍｐｈａｓｉｓ」の場合、Ｐｒｅ  Ｃｕｒｓｏｒ１〜３の入力ボックスには０〜＋２０ｄＢの範囲を０．１ｄＢステップで、Ｐｏｓｔ  Ｃｕｒｓｏｒ１〜６の入力ボックスには−２０〜０ｄＢの範囲を０．１ｄＢステップで自由に数値入力することができる。
【００３７】
なお、パラメータの設定形式として「Ｐｒｅ−Ｅｍｐｈａｓｉｓ」又は「Ｄｅ−Ｅｍｐｈａｓｉｓ」を選択した場合、各カーソルＰｏｓｔ１〜６、Ｐｒｅ１〜３のｄＢ値、各タップ毎の振幅値Ｖａ，Ｖｂ，Ｖｃ，Ｖｄ，Ｖｅ，Ｖｆ，Ｖｇ，Ｖｈ，Ｖｉ，Ｖｊは、特許第６１２４９２７号と同様の手法により、各タップ毎のアイ振幅に対する比から情報記憶部３の計算式を用いて算出される。
【００３８】
図２〜図４のエンファシス設定画面１１には、「Ｏｕｔｐｕｔ  Ｍｏｎｉｔｏｒ」として、各カーソルＰｏｓｔ１〜６、Ｐｒｅ１〜３毎のｄＢ値を示す表示ボックス１３と、エンファシス波形イメージ１４と、各タップ毎の振幅値：Ｖａ，Ｖｂ，Ｖｃ，Ｖｄ，Ｖｅ，Ｖｆ，Ｖｇ，Ｖｈ，Ｖｉ，Ｖｊを示す表示ボックス１５が表示される。
【００３９】
ここで、図２に示すように、エンファシス設定画面１１において、「Ｅｍｐｈａｓｉｓ  Ｆｕｎｃｔｉｏｎ」の入力ボックス１２ａでエンファシス「ＯＦＦ」が選択され、「Ａｍｐｌｉｔｕｄｅ」の入力ボックス１２ｂに「０．９１０」が数値入力されると、エンファシスがかかっていない状態の矩形状のエンファシス波形イメージ１４が「Ｏｕｔｐｕｔ  Ｍｏｎｉｔｏｒ」に表示される。
【００４０】
また、図３に示すように、エンファシス設定画面１１において、「Ｅｍｐｈａｓｉｓ  Ｆｕｎｃｔｉｏｎ」の入力ボックス１２ａでエンファシス「ＯＦＦ」が選択され、「Ａｍｐｌｉｔｕｄｅ」の入力ボックス１２ｂに「０．９１０」が数値入力され、パラメータの形式として「Ｃｏｅｆｆｉｃｉｅｎｔ」が選択された状態で、Ｃ−３，Ｃ−２，Ｃ−１，Ｃ１，Ｃ３，Ｃ４，Ｃ５，Ｃ６の入力ボックスに「０．１０００００」、Ｃ０の入力ボックスに「１．００００００」、Ｃ２の入力ボックスに「−０．２０００００」がそれぞれ数値入力されると、エンファシスがかかった状態のエンファシス波形イメージ１４が「Ｏｕｔｐｕｔ  Ｍｏｎｉｔｏｒ」に表示される。なお、エンファシス波形イメージ１４は、パラメータの設定変更に伴ってリアルタイムに変化する。
【００４１】
さらに、操作表示部２は、報知部８としても機能し、後述する警告判定部６にて試験用信号付加後の合成出力波形（１０タップ合成振幅値）がピーク値を超えるか、或いは各タップの何れかの振幅値が上下限値を超えて警告が必要と判定すると、その旨をユーザに報知するため警告を表示する。具体的には、警告内容を示す「１．５Ｖｐｐ  Ｌｉｍｉｔ  Ｏｖｅｒ」を「Ｏｕｔｐｕｔ  Ｍｏｎｉｔｏｒ」の表示エリア（エンファシス波形イメージ１４の右上太線で囲むエリア）に表示する他、上下限値（例えば、上限値１．５［Ｖｐｐ］）を超える振幅値（図４の例では、振幅値Ｖｆ，Ｖｇ，Ｖｈ）の表示ボックスを強調表示（例えば、赤色などで表示ボックスの色を変えて他の表示ボックスと区別できるように表示）する。
【００４２】
なお、「Ｅｍｐｈａｓｉｓ  Ｆｕｎｃｔｉｏｎ」の入力ボックス１２ａ、「Ａｍｐｌｉｔｕｄｅ」の入力ボックス１２ｂ、パラメータの入力ボックス１２ｃなどの表示形態は、図２〜図５に限定されるものではなく、その一部を省略したり、配置や組合せを適宜設定変更することができる。
【００４３】
情報記憶部３は、元信号となる試験用信号に対し、エンファシス波形を付加して出力するために必要な各種情報を記憶する。この各種情報には、例えば予め決められた通信規格毎の複数種類の基準波形パターンの波形情報（波形形状を特定する各パラメータ値）、各タップ毎のアイ振幅に対する比から各タップ毎の振幅値、操作表示部２にモニタ表示するための各タップ毎の振幅値、各カーソルのｄＢ値を算出するための計算式、操作表示部２の表示画面の１ドット当たりの振幅量や１ドット当たりの時間、警告判定部６による判定結果などがある。
【００４４】
エンファシス波形生成部４は、情報記憶部３に記憶された各種情報や計算式に基づいてエンファシス波形イメージと同じエンファシス波形を生成する。例えば、情報記憶部３から通信規格に基づく基準波形パターンの波形情報を読み出し、エンファシス設定画面１１で設定された設定情報と情報記憶部３の計算式に基づいて各タップ毎の振幅値を算出し、基準波形パターンの波形情報、設定情報、各タップ毎の振幅値に基づいてエンファシス波形イメージと同じエンファシス波形を生成する。
【００４５】
エンファシス出力制御部５は、エンファシス波形生成部４にて生成したエンファシス波形を試験用信号に付加し、試験用信号付加後の合成出力波形の出力を警告判定部６からの警告信号の入力の有無に応じて制御する。すなわち、エンファシス出力制御部５は、警告判定部６から警告信号の入力がなければ、エンファシス波形生成部４が生成したエンファシス波形を試験用信号に付加した試験用信号付与後の合成出力波形を出力する。これに対し、エンファシス出力制御部５は、警告判定部６から警告信号が入力されると、試験用信号付与後の合成出力波形の出力をオフする。
【００４６】
なお、エンファシス出力制御部５は、警告判定部６から警告信号が入力されたときに、試験用信号付与後の合成出力波形の出力をオフせず、設定された最後の値を保持し、保持した値によるエンファシス波形を試験用信号に付加して合成出力波形を出力する構成としてもよい。その際、設定された最後の値とは、設定された最後のアイ振幅と各カーソルのｄＢ値から算出される１０×１０行列演算の結果（各タップ毎の振幅値）、又は設定された最後のアイ振幅と各カーソルのｄＢ値である。
【００４７】
警告判定部６は、エンファシス波形生成部４にて生成したエンファシス波形をエンファシス出力制御部５にて試験用信号と合成した際の警告の有無を判定する。この警告の有無は、設定変更の度にアイ振幅および各タップ値（各タップ毎の振幅値、又は各カーソル毎のｄＢ値）の上下限値を可変にはせず固定しておき、試験用信号付加後の合成出力波形（１０タップ合成振幅値）がピーク値を超えたか、或いは各タップの何れかの振幅値が上下限値を超えたか否かによって行われる。そして、警告判定部６は、警告があると判定したときに、エンファシス出力制御部５、表示制御部７、報知部８のそれぞれに警告信号を出力する。
【００４８】
なお、設定変更の度にアイ振幅および各タップ値の上下限値を可変にはせず固定するとは、仕様上（ハード上の制約）で規定されている上下限値から変化させないことを意味する。言い換えると、アイ振幅および各タップ値の上下限値を設定変更の度に出力可能な範囲内に動的に変動させないことを意味する。
【００４９】
表示制御部７は、操作表示部２の入力操作、情報記憶部３の各種情報、測定結果、警告判定部６からの警告信号などに基づいて操作表示部２の表示（例えば設定画面、測定画面、警告を知らせるメッセージ画面の表示など）を制御する。
【００５０】
報知部８は、警告判定部６から警告信号が入力されると、ユーザが認識できる形態（例えば、前述した表示制御部７の制御による操作表示部２の報知表示エリア１１ｃへの警告内容のメッセージ表示の他、警告音、音声ガイダンス、振動など）で報知する。
【００５１】
なお、報知表示エリア１１ｃへのメッセージ表示は、ユーザが他の表示と容易に区別して認識ができるように強調表示（例えば、赤色などの強調色で表示）するのが好ましい。また、メッセージ表示に限定されず、例えばＬＥＤなどの表示灯を用いて点灯や点滅により表示することもできる。さらに、警告の原因となるタップの振幅値を識別表示や強調表示するようにしてもよい。
【００５２】
次に、上記のように構成されるエンファシス発生器１を用いてエンファシス波形を発生する方法について図６のフローチャートを参照しながら説明する。
【００５３】
試験用信号に付加されるエンファシス波形を発生する場合には、まず、操作表示部２の操作により、エンファシス設定画面１１を表示させてパラメータの設定を行う（ＳＴ１）。
【００５４】
例えば、図３のエンファシス設定画面１１において、「Ｅｍｐｈａｓｉｓ  Ｆｕｎｃｔｉｏｎ」の入力ボックス１２ａでエンファシス「ＯＮ」を選択し、パラメータの設定形式として例えば「Ｃｏｅｆｆｉｃｉｅｎｔ」を選択する。そして、各タップ毎のアイ振幅に対する比：Ｃ−３，Ｃ−２，Ｃ−１，Ｃ０，Ｃ１，Ｃ２，Ｃ３，Ｃ４，Ｃ５，Ｃ６のそれぞれの入力ボックスに数値入力してパラメータを設定する。
【００５５】
エンファシス波形生成部４は、パラメータの設定が完了すると、エンファシス設定画面１１で設定された設定情報と情報記憶部３の計算式に基づいて各タップ毎の振幅値Ｖａ，Ｖｂ，Ｖｃ，Ｖｄ，Ｖｅ，Ｖｆ，Ｖｇ，Ｖｈ，Ｖｉ，Ｖｊを算出し、基準波形パターンの波形情報、設定情報、各タップ毎の振幅値Ｖａ，Ｖｂ，Ｖｃ，Ｖｄ，Ｖｅ，Ｖｆ，Ｖｇ，Ｖｈ，Ｖｉ，Ｖｊに基づいてエンファシス波形イメージ１４と同じエンファシス波形を生成する（ＳＴ２）。
【００５６】
そして、エンファシス出力制御部５は、エンファシス波形生成部４にて生成したエンファシス波形を試験用信号に付与する（ＳＴ３）。
【００５７】
ここで、警告判定部６は、エンファシス出力制御部５における試験用信号付与後の合成出力波形（１０タップ合成振幅値）がピーク値を超えるか、或いは各タップの何れかの振幅値が上下限値を超えるか否かによって警告の有無を判定する（ＳＴ４）。そして、警告の必要ありと判定したときは（ＳＴ４−警告有り）、その旨をユーザに報知する（ＳＴ５）。
【００５８】
例えば図４のエンファイス設定画面１１において、各カーソルの振幅値Ｖａ，Ｖｂ，Ｖｃ，Ｖｄ，Ｖｅ，Ｖｆ，Ｖｇ，Ｖｈ，Ｖｉ，Ｖｊの上限値を１．５００［Ｖｐｐ］とすると、振幅値Ｖｆ＝１．５４７［Ｖｐｐ］、振幅値Ｖｇ＝１．７２９［Ｖｐｐ］、振幅値Ｖｈ＝１．５４７［Ｖｐｐ］がそれぞれ上限値１．５００［Ｖｐｐ］を超える。この場合、警告の必要ありと判定し、その旨をユーザに報知する。具体的には、「Ｏｕｔｐｕｔ  Ｍｏｎｉｔｏｒ」のエンファシス波形イメージの近傍に警告内容を示す「１．５Ｖｐｐ  Ｌｉｍｉｔ  Ｏｖｅｒ」をメッセージ表示し、上限値１．５００［Ｖｐｐ］を超える振幅値Ｖｆ，Ｖｇ，Ｖｈの表示ボックスを強調表示する。
【００５９】
また、試験用信号付与後の合成出力波形がピーク値を超える場合には、その旨をユーザに報知する。例えば、図５に示すように、警告内容を示す「Ｈａｒｄｗａｒｅ  Ｌｉｍｉｔ  Ｏｖｅｒ」をメッセージ表示する。
【００６０】
そして、エンファシス波形制御部５は、警告判定部６から警告信号の入力がなければ（ＳＴ４−警告無し）、試験用信号付与後の合成出力波形を出力する（ＳＴ６）。
【００６１】
このように、本実施の形態のエンファシス発生器では、従来のように、設定変更の度にアイ振幅および各タップ値の上下限値を可変にはせず固定するようにしているので、ユーザが希望の値に変更するときに、試験用信号付与後の合成出力波形のピーク値或いは各タップの振幅値の上下限値に依存せず、ユーザが希望の値を直接設定することが可能となり、ユーザビリティの向上を図ることができる。
【００６２】
また、試験用信号付与後の合成出力波形がピーク値を超えるか、或いは各タップの何れかの振幅値が上下限値を超えた場合には、警告の必要ありと判定し、その旨を報知するので、エンファシス発生器が内蔵されるパルスパターン発生装置の信号発生能力の上限をユーザに認知させることが可能となる。
【００６３】
さらに、試験用信号付与後の合成出力波形がピーク値を超えるか、或いは各タップの何れかの振幅値が上下限値を超えた場合、合成出力波形の出力をオフするので、出力先の回路に対して悪影響を与えるのを防ぐことができる。
【００６４】
また、試験用信号付与後の合成出力波形がピーク値を超えるか、或いは各タップの何れかの振幅値が上下限値を超えた場合、合成出力波形の出力をオフせず、設定された最後の値（アイ振幅とタップ毎の振幅値、又はアイ振幅とカーソル毎のｄＢ値）を保持する構成とすれば、ユーザが望む信号とはならないものの、パルスパターン発生装置の信号発生能力の上限での試験を続行することが可能となる。
【００６５】
以上、本発明に係るエンファシス発生器およびエンファシス発生方法の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００６６】
１  エンファシス発生器
２  操作表示部
３  情報記憶部
４  エンファシス波形生成部
５  エンファシス出力制御部
６  警告判定部
７  表示制御部
８  報知部
１１  エンファシス設定画面
１２（１２ａ，１２ｂ，１２ｃ）  入力ボックス
１３，１５  表示ボックス
１４  エンファシス波形イメージ
【図１】
2019009561.tif 000003
【図２】
2019009561.tif 000004
【図３】
2019009561.tif 000005
【図４】
2019009561.tif 000006
【図５】
2019009561.tif 000007
【図６】
2019009561.tif 000008